(57)【要約】      （修正有）【課題】意図せず光が漏れることで装飾性が低下することを防ぐことができる組み立て式屏風を提供する。【解決手段】組み立て式屏風１は、高さ方向に複数段重ねて載置される屏風本体部２〜５と、屏風本体部２〜５のうち、高さ方向に隣り合う屏風本体部２〜５を着脱可能に互いに連結する連結機構７と、高さ方向に隣り合う屏風本体部２〜５の間に設けられ、高さ方向に隣り合う屏風本体部２〜５の間に生じる隙間を通過する光を遮断する光遮断機構８と、を備える。【選択図】図２
0003224266.tif 000002
【実用新案登録請求の範囲】
【請求項１】
高さ方向に複数段重ねて載置される屏風本体部と、
高さ方向に隣り合う前記屏風本体部を着脱可能に互いに連結する連結機構と、
高さ方向に隣り合う前記屏風本体部の間に設けられ、高さ方向に隣り合う前記屏風本体部の間に生じる隙間を通過する光を遮断する光遮断機構と、を備える
ことを特徴とする組み立て式屏風。
【請求項２】
請求項１に記載の組み立て式屏風において、
前記光遮断機構は、高さ方向に隣り合う前記屏風本体部のうちの一方における他方と対向する端面に設けられる光遮断板と、前記他方における前記一方と対向する端面に形成され前記光遮断板を収納する光遮断板収納溝部と、を有する
ことを特徴とする組み立て式屏風。
【請求項３】
請求項２に記載の組み立て式屏風において、
前記連結機構は、高さ方向に隣り合う前記屏風本体部のうちの一方における他方と対向する端面に設けられる複数の連結凸部と、前記他方における前記一方と対向する端面に形成され前記連結凸部を収納する複数の連結孔と、を有し、
前記光遮断板は複数の前記連結凸部の間に配置され、前記光遮断板収納溝部は複数の前記連結孔の間に形成される
ことを特徴とする組み立て式屏風。
【請求項４】
請求項１から請求項３のいずれか一項に記載の組み立て式屏風において、
前記屏風本体部のうち、最上段に載置される屏風本体部の上部に架設される天板部材を備える
ことを特徴とする組み立て式屏風。
【請求項５】
請求項１から請求項４のいずれか一項に記載の組み立て式屏風において、
前記屏風本体部は、複数の仕切板部を有し、折り畳み可能に構成される
ことを特徴とする組み立て式屏風。
【考案の詳細な説明】
【技術分野】
【０００１】
本考案は、組み立て式屏風に関する。
【背景技術】
【０００２】
屏風は、風除けや室内装飾として用いられてきたが、このような屏風を用いて構成した組み立て式の床の間が知られている（例えば、特許文献１）。
【０００３】
特許文献１では、組み立て式の床の間を、高さ方向に複数重ねて載置した屏風から構成することにより、分解して収納する際にコンパクト化できるようにしている。これにより、一般的な宅配便等で運送できるようにして、運送料金を低くすることができるようにしている。
【先行技術文献】
【特許文献】
【０００４】
【特許文献１】実用新案登録第３２１７２３４号公報
【考案の概要】
【考案が解決しようとする課題】
【０００５】
特許文献１では、複数の屏風を高さ方向に重ねた際に、その間に隙間が生じることがある。そうすると、その隙間から意図せず光が漏れてしまい、見栄えが悪くなって装飾性が低下してしまうおそれがあるといった問題があった。
【０００６】
本考案の目的は、意図せず光が漏れることで装飾性が低下することを防ぐことができる組み立て式屏風を提供することにある。
【課題を解決するための手段】
【０００７】
本考案の組み立て式屏風は、高さ方向に複数段重ねて載置される屏風本体部と、高さ方向に隣り合う前記屏風本体部を着脱可能に互いに連結する連結機構と、高さ方向に隣り合う前記屏風本体部の間に設けられ、高さ方向に隣り合う前記屏風本体部の間に生じる隙間を通過する光を遮断する光遮断機構と、を備えることを特徴とする。
【０００８】
このような本考案では、高さ方向に隣り合う屏風本体部の間に生じる隙間を通過する光を遮断する光遮断機構を備えるので、当該隙間から意図せず光が漏れてしまうことを防ぐことができる。そのため、漏れた光により装飾性が低下してしまうことを防止できる。
【０００９】
本考案の組み立て式屏風において、前記光遮断機構は、高さ方向に隣り合う前記屏風本体部のうちの一方における他方と対向する端面に設けられる光遮断板と、前記他方における前記一方と対向する端面に形成され前記光遮断板を収納する光遮断板収納溝部と、を有することが好ましい。
このような本考案では、光遮断機構を光遮断板および光遮断板収納溝部により構成するので、当該光遮断機構の構造を簡素化できる。そのため、組み立て式屏風の製作を容易にすることができる。
【００１０】
本考案の組み立て式屏風において、前記連結機構は、高さ方向に隣り合う前記屏風本体部のうちの一方における他方と対向する端面に設けられる複数の連結凸部と、前記他方における前記一方と対向する端面に形成され前記連結凸部を収納する複数の連結孔と、を有し、前記光遮断板は複数の前記連結凸部の間に配置され、前記光遮断板収納溝部は複数の前記連結孔の間に形成されることが好ましい。
このような本考案では、連結凸部および連結孔により高さ方向に重ねられた屏風本体部を連結させるので、複数の屏風本体部を連結させる際に、締結具等の治具を取り付ける必要がなく、組み立てを容易にすることができる。さらに、複数の連結凸部の間に光遮断板が配置され、複数の連結孔の間に光遮断板収納溝部が形成されるので、連結機構による複数の屏風本体部の連結状態を光遮断板および光遮断板収納溝部により補強できて、安定化させることができる。
【００１１】
本考案の組み立て式屏風において、前記屏風本体部のうち、最上段に載置される屏風本体部の上部に架設される天板部材を備えることが好ましい。
このような本考案では、最上段に天板部材が架設されることから、屏風本体部を高さ方向にどのように重ねても、最上段から連結機構が露出することがない。そのため、組み立て式屏風の見栄えが悪くなって装飾性が低下してしまうことを防ぐことができる。
【００１２】
本考案の組み立て式屏風において、前記屏風本体部は、複数の仕切板部を有し、折り畳み可能に構成されることが好ましい。
このような本考案では、組み立て式屏風を分解した際に、屏風本体部を折り畳んで収納できるので、収納状態をコンパクト化することができる。
【図面の簡単な説明】
【００１３】
【図１】本考案の一実施形態に係る組み立て式屏風を示す斜視図。
【図２】前記実施形態の組み立て式屏風を示す分解斜視図。
【図３】図２におけるＩＩＩ−ＩＩＩ線に沿って切断した断面図。
【図４】図２におけるＩＶ−ＩＶ線に沿って切断した断面図。
【図５】仕切板部の連結状態を示す部分拡大図。
【図６】第４屏風本体部を外した状態の組み立て式屏風を示す斜視図。
【図７】第３屏風本体部および第４屏風本体部を外した状態の組み立て式屏風を示す斜視図。
【図８】第２屏風本体部、第３屏風本体部、および、第４屏風本体部を外した状態の組み立て式屏風を示す斜視図。
【図９】本考案の別の実施形態に係る組み立て式屏風を示す斜視図。
【考案を実施するための形態】
【００１４】
以下、本考案の一実施形態に係る組み立て式屏風１を図面に基づいて説明する。
図１は、組み立てられた状態の組み立て式屏風１を示す斜視図であり、図２は、組み立て式屏風１を示す分解斜視図である。なお、図２では、第１屏風本体部２の内部構造を示すために、後述する第１面状部材９１および下地１２を一部省略している。
図１、２に示すように、組み立て式屏風１は、第１屏風本体部２と、第２屏風本体部３と、第３屏風本体部４と、第４屏風本体部５と、天板部材６と、連結機構７と、光遮断機構８とを備える。
【００１５】
［第１屏風本体部２］
第１屏風本体部２は、最下段に載置され、第１仕切板部２１と、第２仕切板部２２と、第３仕切板部２３と、第４仕切板部２４と、第５仕切板部２５とを有する。
各仕切板部２１〜２５は、杉等の木材を格子状に組んで形成された枠板に、和紙にて形成された下地１２（図５参照）が貼付された枠３０を有している。
各仕切板部２１〜２５のサイズは、長辺が約７６０ｍｍ、短辺が約５００ｍｍ、厚さが約２０ｍｍであり、隣り合う仕切板部２１〜２５の継ぎ目で折り畳むことができる。これにより、第１屏風本体部２は、一般の宅配便を利用して運送することができる。
なお、各仕切板部２１〜２５の大きさは、上記のサイズに限られるものではなく、隣り合う仕切板部２１〜２５の継ぎ目で折り畳んで収納した際に、一般の宅配便で運送可能な大きさであればよい。
【００１６】
また、各仕切板部２１〜２５は、図１において正面側に配置される第１面２１１，２２１，２３１，２４１，２５１と、裏面側に配置される第２面２１２，２２２，２３２，２４２，２５２とを有する。そして、第１面２１１〜２５１には、第１面状部材９１が貼付され、第２面２１２〜２５２には、第２面状部材９２が貼付されている。
第１面状部材９１および第２面状部材９２は、和紙にて形成されている。そして、本実施形態では、第１面状部材９１は和紙の表面に金箔が貼付されており、第２面状部材９２は和紙の表面に銀箔が貼付されている。すなわち、第１屏風本体部２は、第１面２１１〜２１５および第２面２１２〜２５２ともに、装飾性を有している。換言すると、第１屏風本体部２には表裏がなく、両面ともに装飾性を有する面として使用することができる。
なお、本実施形態における和紙は、ミツマタやコウゾ等の靭皮繊維を原料として手漉きで作られた所謂「和紙」だけに限られず、パルプ、マニラ麻、合成繊維、不織布等から和紙の風合いを模して作られたものを含む。前述した下地１２、および、後述する蝶番１０およびへり部１１を構成する和紙も同様である。
【００１７】
水平方向に隣り合う各仕切板部２１〜２５は、和紙によって形成された蝶番１０によって連結されている。蝶番１０の第１面２１１〜２５１側、つまり、図１における正面側には、黒色の和紙にて形成された表面紙が貼付されている。また、蝶番１０の第２面２１２〜２５２側、つまり、図１における裏面側には、朱色の和紙にて形成された表面紙が貼付されている。なお、蝶番１０の詳細については、後述する。
【００１８】
各仕切板部２１〜２５には、水平方向の両端部にへり部１１が設けられている。そして、へり部１１には、和紙にて形成された表面紙が貼付されている。
本実施形態では、第１面２１１〜２５１側に設けられたへり部１１には、黒色の和紙にて形成された表面紙が貼付されており、第２面２１２〜２５２側に設けられたへり部１１には、朱色の和紙にて形成された表面紙が貼付されている。
【００１９】
図３は、図２におけるＩＩＩ−ＩＩＩ線に沿って切断した断面図である。
図３に示すように、第１仕切板部２１の下面２１３は円弧状とされている。これにより、本実施形態の組み立て式屏風１を、例えば、畳の上等に載置した場合において、下面２１３が円弧状に形成されており角部がないので、角部によって畳等を傷つけることを防止できる。
なお、下面２１３は、下面２１３を構成する枠３０が断面視で円弧状に形成されることで構成されていてもよく、あるいは、断面視で円弧状に形成された板材が枠３０に取り付けられて構成されていてもよい。
また、仕切板部２２〜２５の下面２２３〜２５３も、第１仕切板部２１と同様に、円弧状とされている。
【００２０】
［第２屏風本体部３］
図１、２に戻って、第２屏風本体部３は、第１屏風本体部２の上部に載置される。つまり、第２屏風本体部３は、高さ方向に隣り合う第１屏風本体部２に重ねて載置される。
第２屏風本体部３は、第１仕切板部３１と、第２仕切板部３２と、第３仕切板部３３と、第４仕切板部３４と、第５仕切板部３５とを有する。各仕切板部３１〜３５のサイズは、前述した第１屏風本体部２の各仕切板部２１〜２５と同様である。また、前述した各仕切板部２１〜２５と同様に、各仕切板部３１〜３５は、第１面状部材９１が貼付される第１面３１１〜３１５と、第２面状部材９２が貼付される第２面３２１〜３２５とを有する。つまり、第２屏風本体部３は、前述した第１屏風本体部２と同様に、両面ともに装飾性を有している。
また、第２屏風本体部３には、前述した第１屏風本体部２と同様に、蝶番１０およびへり部１１が設けられている。
【００２１】
［第３屏風本体部４］
第３屏風本体部４は、第２屏風本体部３の上部に載置される。つまり、第３屏風本体部４は、高さ方向に隣り合う第２屏風本体部３に重ねて載置される。
第３屏風本体部４は、第１仕切板部４１と、第２仕切板部４２と、第３仕切板部４３と、第４仕切板部４４と、第５仕切板部４５とを有する。各仕切板部４１〜４５のサイズは、前述した第１屏風本体部２の各仕切板部２１〜２５と同様である。また、前述した各仕切板部２１〜２５と同様に、各仕切板部４１〜４５は、第１面状部材９１が貼付される第１面４１１〜４１５と、第２面状部材９２が貼付される第２面４２１〜４２５とを有する。つまり、第３屏風本体部４は、前述した第１屏風本体部２と同様に、両面ともに装飾性を有している。
また、第３屏風本体部４には、前述した第１屏風本体部２と同様に、蝶番１０およびへり部１１が設けられている。
【００２２】
［第４屏風本体部５］
第４屏風本体部５は、第３屏風本体部４の上部に載置される。つまり、第４屏風本体部５は、高さ方向に隣り合う第３屏風本体部４に重ねて載置される。
第４屏風本体部５は、第１仕切板部５１と、第２仕切板部５２と、第３仕切板部５３と、第４仕切板部５４と、第５仕切板部５５とを有する。各仕切板部５１〜５５のサイズは、前述した第１屏風本体部２の各仕切板部２１〜２５と同様である。また、前述した各仕切板部２１〜２５と同様に、各仕切板部５１〜５５は、第１面状部材９１が貼付される第１面５１１〜５１５と、第２面状部材９２が貼付される第２面５２１〜５２５とを有する。つまり、第４屏風本体部５は、前述した第１屏風本体部２と同様に、両面ともに装飾性を有している。
また、第４屏風本体部５には、前述した第１屏風本体部２と同様に、蝶番１０およびへり部１１が設けられている。
【００２３】
［天板部材６］
天板部材６は、最上段に載置される第４屏風本体部５の上部に架設される。
また、天板部材６は、第１梁部材６１と、第２梁部材６２と、第３梁部材６３と、第４梁部材６４と、第５梁部材６５とを有する。
各梁部材６１〜６５のサイズは、長辺が約７６０ｍｍ、短辺が約３０ｍｍ、厚さが約２０ｍｍであり、略角柱状に形成されている。また、各梁部材６１〜６５は、隣り合う梁部材６１〜６５と連結されており、継ぎ目で折り畳むことができるように構成されている。
なお、各梁部材６１〜６５は、上記構成に限られるものではなく、例えば、隣り合う梁部材６１〜６５と連結されていなくてもよい。
【００２４】
図４は、図２におけるＩＶ−ＩＶ線に沿って切断した断面図である。
図４に示すように、天板部材６の第１梁部材６１は、第１面６１１と、第２面６１２と、下面６１３と、上面６１４とを有する。
第１面６１１には第１化粧紙１２１が貼付され、第２面６１２には第２化粧紙１２２が貼付されている。本実施形態では、第１化粧紙１２１は黒色の和紙を用いて形成されており、第２化粧紙１２２は朱色の和紙を用いて形成されている。
下面６１３には、後述する光遮断板収納溝部８２が形成されている。また、上面６１４には、中央部に溝部６１５が形成されている。そして、当該溝部６１５を挟んで上面６１４の第１面６１１側には、第１面６１１から連続して第１化粧紙１２１が貼付され、上面６１４の第２面６１２側には、第２面６１２から連続して第２化粧紙１２２が貼付されている。
【００２５】
［連結機構７］
図２に戻って、第１屏風本体部２の第１仕切板部２１の上面２１４、つまり、第１屏風本体部２における第２屏風本体部３の下面３１３に対向する端面には、連結凸部７１が設けられている。
連結凸部７１は、第１仕切板部２１の上面２１４に挿入孔を設け、この挿入孔に円柱状の所謂ダボ材を上部が突出するように挿入させて設けられている。本実施形態では、連結凸部７１は、上面２１４から約２５ｍｍ突出するように設けられている。なお、この際、挿入孔に接着剤等を充填して、ダボ材を挿入孔に固定するようにしてもよい。第１仕切板部２１において、連結凸部７１は、上面２１４の両端部と中央部とに３つ設けられている。また、第１屏風本体部２の仕切板部２２〜２５の上面２２４〜２５４には、第１仕切板部２１と同様に、連結凸部７１が３つずつ設けられている。
そして、この連結凸部７１が、後述する第２屏風本体部３に形成される連結孔７２に挿入されることにより、高さ方向に隣り合う第１屏風本体部２と第２屏風本体部３とが着脱可能に連結される。すなわち、本実施形態では、連結凸部７１と連結孔７２とにより連結機構７が構成される。なお、第２屏風本体部３は本考案の一方の屏風本体部の一例であり、第３屏風本体部４は他方の屏風本体部の一例である。
【００２６】
第２屏風本体部３の第１仕切板部３１の下面３１３、つまり、第２屏風本体部３における第１屏風本体部２の上面２１４に対向する端面には、前述した連結凸部７１に対応する位置に連結孔７２が形成されている。
連結孔７２は、連結凸部７１よりも一回り大きく形成されており、連結凸部７１を着脱可能に挿入することができる。
また、第２屏風本体部３の仕切板部３２〜３５には、第１仕切板部３１と同様に、連結孔７２が３つずつ設けられている。
【００２７】
そして、第２屏風本体部３、第３屏風本体部４、第４屏風本体部５の上面３１４〜３５４，４１４〜４５４，５１４〜５５４には、第１屏風本体部２と同様に、連結凸部７１が設けられている。さらに、第３屏風本体部４、第４屏風本体部５、天板部材６の下面４１３〜４５３，５１３〜５５３，６１３〜６５３には、第２屏風本体部３と同様に、連結孔７２が形成されている。
これにより、第２屏風本体部３と第３屏風本体部４とが着脱可能に連結され、第３屏風本体部４と第４屏風本体部５とが着脱可能に連結され、第４屏風本体部５と天板部材６とが着脱可能に連結される。
すなわち、本実施形態では、連結機構７により、高さ方向に隣り合う屏風本体部２〜５および天板部材６が、着脱可能に連結されている。
【００２８】
［光遮断機構８］
また、図２に示すように、第１屏風本体部２の第１仕切板部２１の上面２１４には、光遮断板８１が設けられている。
光遮断板８１は、不透明で光を遮断する平板材から形成されている。そして、光遮断板８１は、第１仕切板部２１の上面２１４に挿入溝を設け、この挿入溝に平板材を上部が突出するように挿入させて設けられている。本実施形態では、光遮断板８１は、上面２１４から約５ｍｍ突出するように設けられている。なお、この際、挿入溝に接着剤等を充填して、平板材を挿入溝に固定するようにしてもよい。第１仕切板部２１において、光遮断板８１は、連結凸部７１の間に設けられている。また、第１屏風本体部２の仕切板部２２〜２５の上面２２４〜２５４には、第１仕切板部２１と同様に、光遮断板８１が設けられている。
そして、この光遮断板８１が、後述する第２屏風本体部３に形成される光遮断板収納溝部８２に挿入されることにより、高さ方向に隣り合う第１屏風本体部２と第２屏風本体部３との間に生じる隙間を通過する光が、光遮断板８１によって遮断される。すなわち、本実施形態では、光遮断板８１と光遮断板収納溝部８２によって、第１屏風本体部２と第２屏風本体部３との間に配置される光遮断機構８が構成される。
【００２９】
第２屏風本体部３の第１仕切板部３１の下面３１３には、前述した光遮断板８１に対応する位置に光遮断板収納溝部８２が形成されている。すなわち、第１仕切板部３１において、光遮断板収納溝部８２は、連結孔７２の間に設けられている。
光遮断板収納溝部８２は、光遮断板８１よりも一回り大きく形成されており、光遮断板８１を着脱可能に収納することができる。
また、第２屏風本体部３の仕切板部３２〜３５には、第１仕切板部３１と同様に、光遮断板収納溝部８２が設けられている。
【００３０】
そして、第２屏風本体部３、第３屏風本体部４、第４屏風本体部５の上面３１４〜３５４，４１４〜４５４，５１４〜５５４には、第１屏風本体部２と同様に、光遮断板８１が設けられている。さらに、第３屏風本体部４、第４屏風本体部５、天板部材６の下面４１３〜４５３，５１３〜５５３，６１３〜６５３には、第２屏風本体部３と同様に、光遮断板収納溝部８２が形成されている。
これにより、高さ方向に隣り合う屏風本体部２〜５および天板部材６の間に生じる隙間を通過する光が、光遮断板８１によって遮断される。
【００３１】
［蝶番１０］
図５は、第１屏風本体部２の第３仕切板部２３と第４仕切板部２４との連結状態を示す図である。なお、図５では、第１面状部材９１、第２面状部材９２、および、前述した表面紙を貼付する前の状態、すなわち、下地１２および蝶番１０が露出した状態を示している。
図５に示すように、蝶番１０は、第１蝶番帯１０１、第２蝶番帯１０２、第３蝶番帯１０３、および、第４蝶番帯１０４の４枚の蝶番帯を有している。各蝶番帯１０１〜１０４は、帯状の和紙にて形成されている。
【００３２】
第１蝶番帯１０１および第３蝶番帯１０３は、図５中において、第３仕切板部２３の手前側の面である第１面２３１と、第４仕切板部２４の裏側の面である第２面２４２とに貼付されて連結されている。この際、これらの蝶番帯１０１，１０３の第３仕切板部２３と第４仕切板部２４との中間に位置する部分は、いずれの仕切板部２３，２４にも貼付されず、固定されていない状態になっている。
【００３３】
また、第２蝶番帯１０２および第４蝶番帯１０４は、図５中において、第３仕切板部２３の裏側の面である第２面２３２Ｂと、第４仕切板部２４の手前側の面である第１面２４１とに貼付されて連結されている。この際、これらの蝶番帯１０２，１０４の第３仕切板部２３と第４仕切板部２４との中間に位置する部分は、いずれの仕切板部２３，２４にも貼付されず、固定されていない状態になっている。
すなわち、各蝶番帯１０１〜１０４において、第３仕切板部２３と第４仕切板部２４との中間に位置する部分は貼付されておらず、固定されていない状態になっている。これにより、第３仕切板部２３と第４仕切板部２４とは、第１面２３１，２４１側の長辺２３５，２４５に沿った回動軸と、第２面２３２，２４２側の長辺２３６，２４６に沿った回動軸との２つの回動軸にて回動させることができる。そのため、第３仕切板部２３と第４仕切板部２４とは、任意の角度で回動させることができる。
【００３４】
なお、蝶番１０の各蝶番帯１０１〜１０４は、前述した表面紙の下側に配置される。つまり、蝶番１０は表面紙の下側に配置されて隠れている。これにより、蝶番１０によって見栄えが悪くなることを防ぐことができる。
また、蝶番１０の上側に配置される表面紙には、各蝶番帯１０１〜１０４の間に対応する位置に切れ込みが入れられている。これにより、当該表面紙は、蝶番帯１０１〜１０４と一緒に動作する。
さらに、本実施形態では、各蝶番帯１０１〜１０４は、第１面状部材９１および第２面状部材９２と重ならない位置に貼付されている。これにより、各蝶番帯１０１〜１０４を剥がすことなく、第１面状部材９１および第２面状部材９２を張り替えることができる。
【００３５】
［組み立て式屏風１の組み立て方法］
次に、本実施形態の組み立て式屏風１の組み立て方法について説明する。
先ず、第１屏風本体部２を畳の上等の略水平な面に載置する。
次に、当該第１屏風本体部２の上に、第２屏風本体部３を重ねて載置する。この際、第１屏風本体部２の連結凸部７１を第２屏風本体部３の連結孔７２に挿入させて、第１屏風本体部２と第２屏風本体部３とを連結させる。また、この際、第１屏風本体部２の光遮断板８１を、第２屏風本体部３の光遮断板収納溝部８２に収納できるように、第１屏風本体部２および第２屏風本体部３の位置を調整する。
【００３６】
次に、前述と同様の手順で、第２屏風本体部３の上に第３屏風本体部４を重ねて載置し、当該第３屏風本体部４の上に第４屏風本体部５を重ねて載置する。
そして、最後に、第４屏風本体部５の上に天板部材６を架設することで、組み立て式屏風１を組み立てる。
なお、本実施形態の組み立て式屏風１を分解する際は、前述と逆の手順で作業を行えばよい。
【００３７】
以上のような本実施形態では、以下の効果がある。
（１）本実施形態の組み立て式屏風１は、高さ方向に複数段重ねて載置される屏風本体部２〜５と、高さ方向に隣り合う屏風本体部２〜５を着脱可能に互いに連結する連結機構７と、高さ方向に隣り合う屏風本体部２〜５の間に設けられ、高さ方向に隣り合う複数の屏風本体部２〜５の間に生じる隙間を通過する光を遮断する光遮断機構８と、を備える。
これにより、上記の隙間から意図せず光が漏れてしまうことを防ぐことができるので、漏れた光により装飾性が低下してしまうことを防止できる。
【００３８】
（２）光遮断機構８は、屏風本体部２〜５の上面２１４〜２５４，３１４〜３５４，４１４〜４５４，５１４〜５５４に設けられる光遮断板８１と、屏風本体部３〜５および天板部材６の下面３１３〜３５３，４１３〜４５３，５１３〜５５３，６１３〜６５３に形成され、光遮断板８１を収納する光遮断板収納溝部８２と、を有する。
これにより、光遮断機構８を光遮断板８１および光遮断板収納溝部８２により構成するので、当該光遮断機構８の構造を簡素化できる。そのため、組み立て式屏風１の製作を容易にすることができる。
【００３９】
（３）連結機構７は、高さ方向に隣り合う屏風本体部２〜５の上面２１４〜２５４，３１４〜３５４，４１４〜４５４，５１４〜５５４に設けられる連結凸部７１と、屏風本体部３〜５および天板部材６の下面３１３〜３５３，４１３〜４５３，５１３〜５５３，６１３〜６５３に形成され、連結凸部７１を収納する連結孔７２とを有する。そして、光遮断板８１は連結凸部７１の間に配置され、光遮断板収納溝部８２は連結孔７２の間に形成される。
これにより、連結凸部７１および連結孔７２により高さ方向に重ねられた屏風本体部２〜５を連結させるので、複数の屏風本体部２〜５を連結させる際に、締結具等の治具を取り付ける必要がなく、組み立てを容易にすることができる。さらに、連結凸部７１の間に光遮断板８１が配置され、連結孔７２の間に光遮断板収納溝部８２が形成されるので、連結機構７による屏風本体部２〜５の連結状態を光遮断板８１および光遮断板収納溝部８２により補強できて、安定化させることができる。
【００４０】
（４）最上段に載置される第４屏風本体部５の上部に架設される天板部材６を備える。
これにより、最上段には天板部材６が架設されることから、屏風本体部２〜５を高さ方向にどのように重ねても、最上段から連結機構７が露出することがない。そのため、組み立て式屏風１の見栄えが悪くなって装飾性が低下してしまうことを防ぐことができる。
【００４１】
（５）屏風本体部２〜５は、仕切板部２１〜２５，３１〜３５，４１〜４５，５１〜５５を有し、折り畳み可能に構成される。
これにより、組み立て式屏風１を分解した際に、屏風本体部２〜５を折り畳んで収納できるので、収納状態をコンパクト化することができる。
【００４２】
［変形例］
なお、本考案は前述の実施形態に限定されるものではなく、本考案の目的を達成できる範囲での変形、改良等は本考案に含まれる。
図６は、前述の実施形態から第４屏風本体部５を外した状態の組み立て式屏風１Ａを示すものである。図７は、さらに第３屏風本体部４を外した状態の組み立て式屏風１Ｂを示すものである。図８は、さらに第２屏風本体部３を外した状態の組み立て式屏風１Ｃを示すものである。
図６〜８に示すように、本考案では、第２屏風本体部３、第３屏風本体部４、および、第４屏風本体部５を外すことにより、組み立て式屏風１，１Ａ，１Ｂ、１Ｃの高さを自由に調整することができる。また、第１屏風本体部の上に第３屏風本体部を重ねて載置し、さらに、その上に第２屏風本体部を重ねて載置してもよく、第１屏風本体部を最下段に載置した上で、他の屏風本体部を自由に組み合わせて、組み立て式屏風を構成することができる。これにより、各屏風本体部の絵柄や模様をそれぞれ変えておくことで、デザインのパターンを多様化することができ、組み立て式屏風の趣を変化させることができる。
さらに、各屏風本体部において、第１面側と第２面側とを自由に組み合わせて、組み立て式屏風を構成してもよい。例えば、第１屏風本体部および第３屏風本体部は、第１面側が手前になるように載置し、第２屏風本体部および第４屏風本体部は、第２面側が手前になるように載置してもよい。これにより、例えば、第１面側と第２面側とで絵柄や模様をそれぞれ変えておくことで、デザインのパターンを多様化することができ、組み立て式屏風の趣を変化させることができる。
さらに、組み立て式屏風は、屏風本体部を５段以上重ねて構成されていてもよい。
【００４３】
前述の実施形態では、各屏風本体部２〜５は、仕切板部２１〜２５，３１〜３５，４１〜４５，５１〜５５を５隻有していたが、これに限定されない。
例えば、図９に示す組み立て式屏風１Ｄように、屏風本体部２Ｄ〜５Ｄは、仕切板部を６隻有する所謂六曲屏風として構成されていてもよい。さらに、各屏風本体部は、仕切板部を６隻以上有していてもよく、あるいは、４隻以下であってもよい。
【００４４】
前述の実施形態では、第１面状部材９１は和紙の表面に金箔が貼付されて構成されており、第２面状部材９２は和紙の表面に銀箔が貼付されて構成されていたが、これに限定されない。例えば、第１面状部材９１および第２面状部材９２は、市松模様等の絵柄がプリントされた和紙にて構成されていてもよい。さらに、第１面状部材９１および第２面状部材９２は、洋紙やフィルム等で構成されていてもよい。
【００４５】
前述の実施形態では、各屏風本体部２〜５において、上面２１４〜２５４，３１４〜３５４，４１４〜４５４，５１４〜５５４に光遮断板８１が設けられ、下面３１３〜３５３，４１３〜４５３，５１３〜５５３，６１３〜６５３に光遮断板収納溝部８２が形成されていたが、これに限定されない。例えば、各屏風本体部の下面に光遮断板が設けられ、上面に光遮断板収納溝部が形成されていてもよい。
【００４６】
前述の実施形態では、各屏風本体部２〜５において、上面２１４〜２５４，３１４〜３５４，４１４〜４５４，５１４〜５５４に連結凸部７１が設けられ、下面３１３〜３５３，４１３〜４５３，５１３〜５５３，６１３〜６５３に連結孔７２が形成されていたが、これに限定されない。例えば、各屏風本体部の下面に連結凸部が設けられ、上面に連結孔が形成されていてもよい。
【００４７】
前述の実施形態では、隣り合う仕切板部２１〜２５，３１〜３５，４１〜４５，５１〜５５は、和紙を用いて形成された蝶番１０にて連結されていたが、これに限定されない。例えば、隣り合う仕切板部は、金属製の連結部材により連結されていてもよく、各屏風本体部が折り畳み可能に構成されていればよい。
【００４８】
前述の実施形態では、各仕切板部２１〜２５，３１〜３５，４１〜４５，５１〜５５における水平方向の両端部には、和紙を用いて形成されたへり部１１が設けられていたが、これに限定されない。例えば、各仕切板部における水平方向の両端部に、洋紙やフィルム等を用いて形成されたへりが設けられていてもよい。また、へり部が設けられていない場合も、本考案に含まれる。
【符号の説明】
【００４９】
１，１Ａ，１Ｂ，１Ｃ，１Ｄ…組み立て式屏風、２…第１屏風本体部、３…第２屏風本体部、４…第３屏風本体部、５…第４屏風本体部、６…天板部材、７…連結機構、８…光遮断機構、１０…蝶番、１１…へり部、１２…下地、２１，３１，４１，５１…第１仕切板部、２２，３２，４２，５２…第２仕切板部、２３，３３，４３，５３…第３仕切板部、２４，３４，４４，５４…第４仕切板部、２５，３５，４５，５５…第４仕切板部、３０…枠、７１…連結凸部、７２…連結孔、８１…光遮断板、８２…光遮断板収納溝部、９１…第１面状部材、９２…第２面状部材、１０１…第１蝶番帯、１０２…第２蝶番帯、１０３…第３蝶番帯、１０４…第４蝶番帯、１２１…第１化粧紙、１２２…第２化粧紙、３１３〜３５３，４１３〜４５３，５１３〜５５３…下面（端面）、２１４〜２５４，３１４〜３５４，４１４〜４５４，５１４〜５５４…上面（端面）。
【図１】
0003224266.tif 000003
【図２】
0003224266.tif 000004
【図３】
0003224266.tif 000005
【図４】
0003224266.tif 000006
【図５】
0003224266.tif 000007
【図６】
0003224266.tif 000008
【図７】
0003224266.tif 000009
【図８】
0003224266.tif 000010
【図９】
0003224266.tif 000011